(57)【特許請求の範囲】
【請求項１】
箱本体(1) の開口枠部の一側辺に枢着された扉蓋(2) の蓋裏に扉蓋の表側からの操作で回動できる鎖錠片(4) を取付けてその先端係止部を前記開口枠部の他辺に設けた鎖錠片係止部に係脱自在とした電気機器収納用箱において、箱本体(1) の開口枠部のうち鎖錠片係止部が設けられる他側辺を、開口端に続く立壁部(13)に鎖錠片(4) の先端係止部を介入できる溝幅の凹溝部(14)を介して前記立壁部(13)より内側に張出する蓋受部(15)を全長にわたり連設して前記凹溝部(14)を一連の鎖錠片係止部としてあることを特徴とする電気機器収納用箱。
【請求項２】
箱本体(1) の開口枠部を、金属板材よりなる箱部材(11)の開口端に４本の型材(12a) 、(12b) 、(12c) 、(12d) が固着された開口枠(12)により形成し、この開口枠(12)のうち少なくとも鎖錠片係止部が設けられる他側辺を構成する型材(12a) として、開口端に続く立壁部(13)に鎖錠片(4) の先端係止部を介入できる溝幅の凹溝部(14)を介して前記立壁部(13)より内側に張出する蓋受部(15)を全長にわたり連設した溝付型材を用いている請求項１に記載の電気機器収納用箱。
【請求項３】
開口枠(12)のうち扉蓋(2) が枢着される一側辺の型材(12b) を、鎖錠片係止部が設けられる他側辺の型材(12a) と同一構造のものとした請求項２に記載の電気機器収納用箱。
【発明の詳細な説明】
【０００１】
【発明の属する技術分野】
本発明は、箱本体の開口枠部の一辺に枢着された扉蓋の蓋裏に表側からの操作で回動できる鎖錠片を取付けてその先端係止部を前記開口枠部の他辺に設けた鎖錠片係止部に係脱自在として鎖錠、開錠を行えるようにした電気機器収納用箱に関するものである。
【０００２】
【従来の技術】
前記したような電気機器収納用箱は分電盤などの箱として広く利用されているが、従来のこの種の電気機器収納用箱における鎖錠片係止部は、開口枠部の開口端に続く蓋嵌合用の内壁部に係止片部を介入できる溝幅および長さの鎖錠片係止部を開設したり、別材の鎖錠片係止部材を溶接やねじ止めなどで固着したものを普通とするため、天井近くの高所などに取り付けた場合、鎖錠片は箱の下部に取り付けるものであり、鎖錠片の取付位置によって箱本体における鎖錠片係止部の設置位置が異なって箱本体は汎用性に乏しいものとなり、また、鎖錠片係止部を後加工で設ける手数を要するため安価に量産できないものであった。
【０００３】
【発明が解決しようとする課題】
本発明が解決しようとするところは上記した従来の問題点を解決して、箱本体を鎖錠片の取付位置が異なる扉蓋の多くに対応できる汎用性の高いものとするとともに、鎖錠片係止部を後加工で設ける手数が不要で安価に量産できる電気機器収納用箱を提供することにある。
【０００４】
【課題を解決するための手段】
上記したの課題を解決するためになされた本発明に係る電気機器収納用箱は、箱本体の開口枠部の一側辺に枢着された扉蓋の蓋裏に扉蓋の表側からの操作で回動できる鎖錠片を取付けてその先端係止部を前記開口枠部の他側辺に設けた鎖錠片係止部に係脱自在とした電気機器収納用箱において、前記開口枠部のうち鎖錠片係止部が設けられる他側辺が、開口端に続く立壁部に鎖錠片の係止片部を介入できる溝幅の凹溝部を介して前記立壁部より内側に張出する蓋受部を全長にわたり連設して前記凹溝部を鎖錠片係止部としたものを基本構成とする。そして、このような電気機器収納用箱における箱本体の開口枠部を、金属板材よりなる箱部材の開口端に４本の型材を固着した開口枠により形成されたものとして、この開口枠のうち少なくとも鎖錠片係止部が設けられる他側辺を構成する型材として、開口端に続く立壁部に鎖錠片の係止片部を介入できる溝幅の凹溝部を介して前記立壁部より内側に張出する蓋受部を全長にわたり連設した溝付型材を用いるようにしたものを請求項２に係る発明とし、この請求項２に係る発明において、開口枠のうち扉蓋が枢着される一側辺の型材を、鎖錠片係止部が設けられる他側辺の型材と同一構造のものとしたものを請求項３に係る発明とする。
【０００５】
【発明の実施の形態】
以下、本発明の好ましい実施形態を図面を参考にしながら詳細に説明する。
１は電気機器収納用箱の箱本体であって、この箱本体１は金属板材よりなる箱部材１１と、その開口端に４本の型材１２ａ、１２ｂ、１２ｃ、１２ｄを枠組み固着した開口枠１２とにより構成されている。２はこの箱本体１の開口枠部の一側辺に枢着されて箱本体１の開口を開閉自在とする金属板材よりなる扉蓋で、この扉蓋２の他側辺には錠ケース３を蓋裏に突出させてその裏側に表側から操作できる周知の鎖錠片４が回動自在に取付けられている。
【０００６】
また、前記した開口枠１２を構成する４本の型材１２ａ、１２ｂ、１２ｃ、１２ｄのうち鎖錠片係止部が設けられる他側辺を構成する型材１２ａを除く型材１２ｂ、１２ｃ、１２ｄは従来のものと同じものであってもよいが、少なくとも鎖錠片係止部が設けられる他側辺を構成する型材１２ａは、開口端に続く垂直の立壁部１３に鎖錠片４の先端係止部を介入できる溝幅の凹溝部１４を介して前記立壁部１３より内側に張出する水平の蓋受部１５を全長にわたり連設した溝付型材を用いてある。なお、この溝付型材の蓋受部１５の先端は立壁部１３と平行する下向きのガイド部１６に形成されるとともに、立壁部１３と対向する外壁部１７の先端はねじ止め用の内向き庇板部１８に形成されたものとしている。
【０００７】
さらに、箱本体１を右開き用扉蓋と左開き用扉蓋に兼用できるようにするためには、開口枠１２のうち鎖錠片係止部が設けられる他側辺を構成する型材１２ａの外に、扉蓋２が枢着される型材１２ｂも前記した鎖錠片係止部が設けられる他側辺の型材１２ａと同一構造の溝付型材を使用しておくことが好ましく、また、４本の型材１２ａ、１２ｂ、１２ｃ、１２ｄの全てを前記した型材１２ａと同一構造の溝付型材としておくことにより、１種の型材のみで開口枠１２を構成するようにしてもよい。
【０００８】
このように構成されたものは、箱本体１の開口枠部のうち鎖錠片係止部が設けられる他側辺が、開口端に続く立壁部１３に鎖錠片４の係止片部４ａを介入できる溝幅の凹溝部１４を介して前記立壁部１３より内側に張出する蓋受部１５を全長にわたり連設したものとして前記凹溝部１４を一連の鎖錠片係止部としてあるので、鎖錠片４が箱本体１の一側辺に枢着されている扉蓋２の他側辺の一端と他端との間のいかなる位置に取付けられていたとしても、全長にわたる凹溝部１４を鎖錠片４の係止片部４ａが係止可能な鎖錠片係止部として利用できることとなり、箱本体１は鎖錠片取付位置の異なる各種の扉蓋に対応できる汎用性の高いものとなり、また、全長にわたる凹溝部１４は鎖錠片係止部を開設したものに比べて遙かに強度的に優れたものとなる。また、箱本体１を製造する際に扉蓋２の鎖錠片取付位置に応じた鎖錠片係止部を開設したり、別部材である鎖錠片係止部材を取付けたりする後加工の手数を要しないので、製造が容易で安価に量産できるものとなる。
【０００９】
【発明の効果】
本発明は前記説明から明らかなように、箱本体の開口枠部の一側辺に枢着された扉蓋の蓋裏に扉蓋の表側からの操作で回動できる鎖錠片を取付けてその先端係止部を前記開口枠部の他側辺に設けた鎖錠片係止部に係脱自在とした電気機器収納用箱において、開口枠部のうち鎖錠片係止部が設けられる他側辺の内側の立壁面に鎖錠片係止部として利用できる凹溝部を全長にわたり形成したので、箱本体を鎖錠片の取付位置が異なる扉蓋に対応できる汎用性の高いものとすることができるうえに凹溝部が開口枠部の強度を増す利点があり、また、箱本体を製造する際に鎖錠片係止部材を後加工で設ける手数を要しないので安価に量産できる利点がある。
従って、本発明は従来のこの種の電気機器収納用箱の問題点を解決したものとして業界に寄与するところ極めて大きいものがある。
【図面の簡単な説明】
【図１】  本発明の好ましい実施の形態を示す一部切欠全体斜視図である。
【図２】  本発明の好ましい実施の形態の要部を示す断面図である。
【図３】  本発明の好ましい実施の形態の要部を示す一部切欠正面図である。
【符号の説明】
１  箱本体
２  扉蓋
４  鎖錠片
11  箱部材
12a 型材
12b 型材
12c 型材
12d 型材
13  立壁部
14  凹溝部
15  蓋受部
【図１】
0003748729.tif 000002
【図２】
0003748729.tif 000003
【図３】
0003748729.tif 000004